(57)【要約】【課題】１種類のメッセージの処理で、周辺セル各々で異なる無線品質を測定させること【解決手段】セル分類識別情報付与部ａ１１３は、周辺セルを識別する周辺セル識別情報と、当該周辺セルの分類を示すセル分類識別情報と、を対応付けた測定セル情報を生成する。メッセージ生成部ａ１１４は、セル分類情報付与部ａ１１３が生成した測定セル情報を含む測定構成メッセージを生成する。無線送信部ａ１０２は、メッセージ生成部ａ１１４が生成した測定構成メッセージを移動局装置に送信する。【選択図】図３
2011188126.tif 000002
【特許請求の範囲】
【請求項１】
複数の基地局装置と、前記基地局装置からの信号を受信する移動局装置と、を備えるセルラ通信システムおいて、
前記基地局装置は、前記移動局装置が在圏するセルの周辺セルを識別する周辺セル識別情報と、当該周辺セルの分類を示すセル分類情報と、を対応付けた測定セル情報を含む測定構成メッセージを、前記移動局装置に送信し、
前記移動局装置は、前記測定構成メッセージに含まれる測定セル情報に基づいて、前記周辺セルの分類毎に異なる信号品質情報であって前記周辺セルの基地局装置から受信した信号の品質を示す信号品質情報を測定し、測定結果の信号品質情報を前記基地局装置に送信することを特徴とするセルラ通信システム。
【請求項２】
前記基地局装置は、
前記周辺セルを識別する周辺セル識別情報と、当該周辺セルの分類を示すセル分類識別情報と、を対応付けた測定セル情報を生成するセル分類情報付与部と、
前記セル分類情報付与部が生成した測定セル情報を含む測定構成メッセージを、前記移動局装置に送信する無線送信部と、
を備え、
前記移動局装置は、
前記基地局装置から前記測定構成メッセージを取得するメッセージ取得部と、
前記メッセージ取得部が取得した測定構成メッセージに含まれる測定セル情報のセル分類識別情報に基づいて、当該測定セル情報の周辺セル識別情報の周辺セルについて測定する信号品質情報を決定する測定品質判定部と、
前記測定品質判定部が決定した信号品質情報の測定結果を、前記基地局装置に送信する無線送信部と、
を備えることを特徴とする請求項１に記載のセルラ通信システム。
【請求項３】
前記セル分類情報付与部は、周辺セル識別情報に対して、セル分類識別情報としてビットを付与した測定セル情報を生成することを特徴とする請求項２に記載のセルラ通信システム。
【請求項４】
前記基地局装置は、
前記周辺セルのセル分類に基づいて、前記周辺セルを識別する周辺セル識別情報を整列する周辺セル識別情報整列部と、
前記周辺セル識別情報整列部が整列したセル分類識別情報を含む測定構成メッセージを、前記移動局装置に送信する無線送信部と、
を備え、
前記移動局装置は、
前記基地局装置から前記測定構成メッセージを取得するメッセージ取得部と、
前記メッセージ取得部が取得した測定構成メッセージに含まれるセル分類識別情報の整列順序に基づいて、前記周辺セル識別情報の周辺セルについて測定する信号品質情報を決定する測定品質判定部と、
前記測定品質判定部が決定した信号品質情報の測定結果を、前記基地局装置に送信する無線送信部と、
を備えることを特徴とする請求項１に記載のセルラ通信システム。
【請求項５】
前記周辺セルの基地局装置から受信した信号の伝搬損失を測定する伝搬損失測定部と、
前記周辺セルの分類が同じ周辺セルの基地局装置から受信した信号の品質を示す信号品質情報に対して、前記伝搬損失測定部が測定した伝搬損失に応じて異なる信号品質情報を測定することを特徴とする請求項１に記載のセルラ通信システム。
【請求項６】
前記セル分類情報は、協調通信を行うか否かの分類を示すことを特徴とする請求項１乃至５に記載のセルラ通信システム。
【請求項７】
前記移動局装置は、前記セル分類情報が協調通信を行わないことを示すときには受信レベルを信号品質情報に決定し、前記セル分類情報が協調通信を行うことを示すときには受信レベル及び伝搬路推定値を信号品質情報に決定することを特徴とする請求項６に記載のセルラ通信システム。
【請求項８】
前記移動局装置は、前記セル分類情報が協調通信を行わないことを示すときには受信レベルを信号品質情報に決定し、
前記セル分類情報が協調通信を行うことを示すときには、前記伝搬損失測定部が測定した伝搬損失が予め定めた閾値より小さい場合に受信レベル及び伝搬路推定値を信号品質情報に決定し、前記伝搬損失測定部が測定した伝搬損失が予め定めた閾値より大きい場合に受信レベルを信号品質情報に決定することを特徴とする請求項５に記載のセルラ通信システム。
【請求項９】
移動局装置が在圏するセルの周辺セルについての信号品質情報を測定させる測定構成メッセージを前記移動局装置に送信する基地局装置において、
前記移動局装置が在圏するセルの周辺セルを識別する周辺セル識別情報と、当該周辺セルの分類を示すセル分類情報と、を対応付けた測定セル情報を含む測定構成メッセージを、前記移動局装置に送信することを特徴とする基地局装置。
【請求項１０】
在圏するセルの周辺セルについての信号品質情報を測定させる測定構成メッセージを基地局装置から受信する移動局装置において、
前記測定構成メッセージに含まれる測定セル情報であって、在圏するセルの周辺セルを識別する周辺セル識別情報と、当該周辺セルの分類を示すセル分類情報と、を対応付けた測定セル情報、に基づいて、前記周辺セルの分類毎に異なる信号品質情報であって前記周辺セルの基地局装置から受信した信号の品質を示す信号品質情報を測定し、測定結果の信号品質情報を前記基地局装置に送信することを特徴とする移動局装置。
【請求項１１】
移動局装置が在圏するセルの周辺セルについての信号品質情報を測定させる測定構成メッセージを前記移動局装置に送信する基地局装置における通信制御方法において、
前記基地局装置が、前記移動局装置が在圏するセルの周辺セルを識別する周辺セル識別情報と、当該周辺セルの分類を示すセル分類情報と、を対応付けた測定セル情報を含む測定構成メッセージを、前記移動局装置に送信する過程を有することを特徴とする通信制御方法。
【請求項１２】
在圏するセルの周辺セルについての信号品質情報を測定させる測定構成メッセージを基地局装置から受信する移動局装置における通信制御方法において、
前記移動局装置が、前記測定構成メッセージに含まれる測定セル情報であって、在圏するセルの周辺セルを識別する周辺セル識別情報と、当該周辺セルの分類を示すセル分類情報と、を対応付けた測定セル情報、に基づいて、前記周辺セルの分類毎に異なる信号品質情報であって前記周辺セルの基地局装置から受信した信号の品質を示す信号品質情報を測定し、測定結果の信号品質情報を前記基地局装置に送信する過程を有することを特徴とする通信制御方法。
【請求項１３】
移動局装置が在圏するセルの周辺セルについての信号品質情報を測定させる測定構成メッセージを前記移動局装置に送信する基地局装置のコンピュータを、
前記移動局装置が在圏するセルの周辺セルを識別する周辺セル識別情報と、当該周辺セルの分類を示すセル分類情報と、を対応付けた測定セル情報を含む測定構成メッセージを、前記移動局装置に送信する手段として機能させる通信制御プログラム。
【請求項１４】
在圏するセルの周辺セルについての信号品質情報を測定させる測定構成メッセージを基地局装置から受信する移動局装置のコンピュータを、
前記測定構成メッセージに含まれる測定セル情報であって、在圏するセルの周辺セルを識別する周辺セル識別情報と、当該周辺セルの分類を示すセル分類情報と、を対応付けた測定セル情報、に基づいて、前記周辺セルの分類毎に異なる信号品質情報であって前記周辺セルの基地局装置から受信した信号の品質を示す信号品質情報を測定し、測定結果の信号品質情報を前記基地局装置に送信する手段として機能させる通信制御プログラム。
【発明の詳細な説明】
【技術分野】
【０００１】
本発明は、セルラ通信システム、基地局装置、移動局装置、通信制御方法、及び通信制御プログラムに関する。
【背景技術】
【０００２】
近年、移動体通信技術に関して、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で、ＬＴＥ−Ａ（ＬＴＥ−Ａｄｖａｎｃｅｄ）の標準化が進められている。ＬＴＥ−Ａは、ＬＴＥ（Ｌｏｎｇ  Ｔｅｒｍ  Ｅｖｏｌｕｔｉｏｎ）を発展させた規格である。
ＬＴＥでは、移動局装置は、ある時点では１つの基地局装置と通信する。これに対して、ＬＴＥ−Ａでは、ＣｏＭＰ（Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ；多地点協調送受信）と呼ばれる技術を用いる。ＣｏＭＰは、複数の基地局装置が情報を共有し、協調して移動局装置と通信する技術である。
【０００３】
ところで、ＬＴＥ−Ａでは、ＬＴＥと比較して、セルエッジでのユーザースループットやセルスループットを改善することが期待されている（非特許文献１）。このため、ＬＴＥ−Ａでは、下りリンクおよび上りリンクのそれぞれについて、ＣｏＭＰを使用することが検討されている。
具体的には、下りリンクにＣｏＭＰを用いる方法として、主に、２種類の方法が検討されている。１つ目の方法は、ＬＴＥと同様に、移動局装置は基地局装置と１対１で通信するが、隣接した複数の基地局装置が情報を共有することにより、スケジューリングやビームフォーミングを協調して行い、干渉を低減させる方法である。２つ目の方法は、ＬＴＥとは異なり、複数の基地局装置が１つの移動局装置に対して同時に信号を送信し、移動局装置はそれらの信号を結合して復調することにより、受信品質を向上させる方法である。
また、上りリンクにＣｏＭＰを用いる方法として、複数の基地局装置が、移動局装置が送信する信号を受信し、それらの信号を合成することによって、受信品質を向上させる方法が検討されている。
【０００４】
次に、ＬＴＥおよびＬＴＥ−Ａにおける物理レイヤについて説明する。物理レイヤでは、物理チャネル、物理シグナルが定義されている。
下りの物理チャネルでは、ＰＤＳＣＨ（Ｐｈｙｓｉｃａｌ  Ｄｏｗｎｌｉｎｋ  Ｓｈａｒｅｄ  Ｃｈａｎｎｅｌ：下り共有チャネル）、ＰＢＣＨ（Ｐｈｙｓｉｃａｌ  Ｂｒｏａｄｃａｓｔ  Ｃｈａｎｎｅｌ：ブロードキャスト・チャネル）、ＰＭＣＨ（Ｐｈｙｓｉｃａｌ  Ｍｕｌｔｉｃａｓｔ  Ｃｈａｎｎｅｌ：マルチキャスト・チャネル）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ：制御フォーマット・インディケータ・チャネル）、ＰＤＣＣＨ（Ｐｈｙｓｉｃａｌ  Ｄｏｗｎｌｉｎｋ  Ｃｏｎｔｒｏｌ  Ｃｈａｎｎｅｌ：下り制御チャネル）、ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ：ハイブリッドＡＲＱインディケータ・チャネル）の６種類が定義されている。
下りの物理シグナルでは、ＲＳ（Ｒｅｆｅｒｅｎｃｅ  Ｓｉｇｎａｌ：参照信号）、同期信号（Ｓｙｎｃｈｒｏｎｉｚａｔｉｏｎ  ｓｉｇｎａｌ）の２種類が定義されている。
また、上りの物理チャネルでは、ＰＵＳＣＨ（Ｐｈｙｓｉｃａｌ  Ｕｐｌｉｎｋ  Ｓｈａｒｅｄ  Ｃｈａｎｎｅｌ：上り共有チャネル）、ＰＵＣＣＨ（Ｐｈｙｓｉｃａｌ  Ｕｐｌｉｎｋ  Ｃｏｎｔｒｏｌ  Ｃｈａｎｎｅｌ：上り制御チャネル）、ＰＲＡＣＨ（Ｐｈｙｓｉｃａｌ  Ｒａｎｄｏｍ  Ａｃｃｅｓｓ  Ｃｈａｎｎｅｌ：ランダムアクセスチャネル）の３種類が定義されている。
上りの物理シグナルでは、ＲＳ（Ｒｅｆｅｒｅｎｃｅ  ｓｉｇｎａｌ）の１種類が定義されている。
【０００５】
ここで、ＰＤＳＣＨ、ＰＵＳＣＨは、主にユーザデータや制御データを送信するための物理チャネルである。ＰＢＣＨは、報知情報を送信するための物理チャネルである。ＰＭＣＨは、放送などのマルチキャストデータを送信するための物理チャネルである。
ＰＣＦＩＣＨは、ＰＤＣＣＨのシンボル数を通知するための物理チャネルである。ＰＤＣＣＨは、ＰＤＳＣＨやＰＵＳＣＨのスケジューリングやＴＰＣ（Ｔｒａｎｓｍｉｓｓｉｏｎ  Ｐｏｗｅｒ  Ｃｏｎｔｒｏｌ：送信電力制御）コマンドなどを送信するための物理チャネルである。ＰＨＩＣＨは、ＰＵＳＣＨに対するＨＡＲＱ（Ｈｙｂｒｉｄ  Ａｕｔｏｍａｔｉｃ  Ｒｅｐｅａｔ  ｒｅＱｕｅｓｔ：ハイブリッド自動再送要求）のＡＣＫ／ＮＡＣＫを送信するための物理チャネルである。
ＰＵＣＣＨは、ＰＤＳＣＨに対するＨＡＲＱのＡＣＫ／ＮＡＣＫ、ＣＱＩ（Ｃｈａｎｎｅｌ  Ｑｕａｌｉｔｙ  Ｉｎｆｏｒｍａｔｉｏｎ：チャネル品質情報）、ＰＭＩ（Ｐｒｅｃｏｄｉｎｇ  Ｍａｔｒｉｘ  Ｉｎｄｉｃａｔｉｏｎ：プリコーディング・マトリックス・インディケータ）、ＲＩ（Ｒａｎｋ  Ｉｎｄｉｃａｔｉｏｎ：ランク・インディケータ）などを送信するための物理チャネルである。ＰＲＡＣＨは、ランダムアクセスのプリアンブルを送信するための物理チャネルである。
また、上りリンクおよび下りリンクのＲＳは、チャネル推定やＣＱＩの測定に使用される物理シグナルである。同期信号（Ｓｙｎｃｈｒｏｎｉｚａｔｉｏｎ  ｓｉｇｎａｌ）は、セルサーチに使用される物理シグナルである。
【０００６】
ＬＴＥにおいて、移動局装置は、基地局装置から提供される情報に基づいて、自身の属するセルの周辺セルを測定する。この基地局装置から提供される情報には、周辺セルのリストが含まれており、ブロードキャスト・チャネル又は専用チャネルを介して移動局装置に伝えられる。
非特許文献２には、基地局装置から提供される情報がブロードキャスト・チャネルを介して移動局装置に送信される場合、周辺セルリストはＳＹＳＴＥＭ  ＩＮＦＯＲＭＡＴＩＯＮメッセージに含まれることが記載されている。移動局装置は、周辺セルリストを含むＳＹＳＴＥＭ  ＩＮＦＯＲＭＡＴＩＯＮメッセージを受信し、受信した周辺セルリストを自身のメモリに格納する。
一方、基地局から提供される情報が、専用チャネルを介して移動局装置に送信される場合、周辺セルリストはＭＥＡＳＵＲＥＭＥＮＴ  ＣＯＮＦＩＧＵＲＡＴＩＯＮメッセージに含まれる。この場合、移動局装置は、周辺セルリストを含むＭＥＡＳＵＲＥＭＥＮＴ ＣＯＮＦＩＧＵＲＡＴＩＯＮメッセージを受信し、受信した周辺セルリストを自身のメモリに格納する。
【０００７】
ＭＥＡＳＵＲＥＭＥＮＴ  ＣＯＮＦＩＧＵＲＡＴＩＯＮメッセージを受信した移動局装置は、ＭＥＡＳＵＲＥＭＥＮＴ  ＣＯＮＦＩＧＵＲＡＴＩＯＮメッセージに含まれる周辺セルリストにあるセルに対して無線品質を測定する。移動局装置は、ＭＥＡＳＵＲＥＭＥＮＴ ＣＯＮＦＩＧＵＲＡＴＩＯＮメッセージの内容に応じて、必要な情報をＭＥＡＳＵＲＥＭＥＮＴ  ＲＥＰＯＲＴメッセージとして基地局装置に送信する。
なお、基地局装置が新しい周辺セルリストを作成してＭＥＡＳＵＲＥＭＥＮＴ ＣＯＮＦＩＧＵＲＡＴＩＯＮメッセージを送信すると、そのメッセージを受信した移動局装置は通信中に周辺セルリストを上書きする。  
【０００８】
一方、ＬＴＥ−Ａでは、周辺セルを複数の分類されることが知られている。具体的には、周辺セルのうち、ハンドオーバやセルリセレクションを実施するために必要な受信レベルの測定を行う周辺セルはＭｅａｓｕｒｅｍｅｎｔ ｓｅｔに分類され、ＣｏＭＰを実施する可能性のある周辺セルはＣｏＭＰ ｒｅｐｏｒｔｉｎｇ ｓｅｔに分類される。
ここで、Ｍｅａｓｕｒｅｍｅｎｔ ｓｅｔに分類された周辺セル群について、移動局装置は、測定した受信レベルを基地局装置に送信する。一方、ＣｏＭＰ ｒｅｐｏｒｔｉｎｇ ｓｅｔに分類された周辺セル群について、移動局装置は、測定した受信レベル、及びＣｏＭＰを実施するために必要なＣＳＩ（ｃｈａｎｎｅｌ ｓｔａｔｅ／ｓｔａｔｉｓｔｉｃａｌ ｉｎｆｏｒｍａｔｉｏｎ；チャネル状態情報）を基地局装置に送信する。
【０００９】
図１６は、従来技術に係る周辺セルの分類を示す概略図である。この図において、符号Ｃ１〜Ｃ１８を付した６角形各々はセルを示す。この図は、移動局装置がセルＣ１に在圏し、右斜め上がりの斜線でハッチングしたセルＣ１、Ｃ２、Ｃ３（ＣｏＭＰ  ｃｏｏｐｅｒａｔｉｎｇ  ｓｅｔ）の基地局装置と移動局装置とがＣｏＭＰを行うことを示す。
図１６は、セルＣ４〜Ｃ９、Ｃ１２、Ｃ１３、Ｃ１６〜Ｃ１９が、Ｍｅａｓｕｒｅｍｅｎｔ ｓｅｔに分類されていることを示す。また、この図は、太線の６角形で示したセルＣ２、Ｃ３、Ｃ１０、Ｃ１１、Ｃ１４、Ｃ１５が、ＣｏＭＰ ｒｅｐｏｒｔｉｎｇ ｓｅｔに分類されていることを示す。この図が示すように、Ｍｅａｓｕｒｅｍｅｎｔ ｓｅｔの範囲は、ＣｏＭＰ ｒｅｐｏｒｔｉｎｇ ｓｅｔの範囲よりも広くなっており、ＣｏＭＰ ｒｅｐｏｒｔｉｎｇ ｓｅｔに分類される周辺セル群の範囲は、Ｍｅａｓｕｒｅｍｅｎｔ ｓｅｔに分類された周辺セル群の範囲に含まれる。
【先行技術文献】
【非特許文献】
【００１０】
【非特許文献１】３ＧＰＰ  Ｒ１−０８４６１５（ＴＲ３６.８１４  ｖ０.２.０）：８、“Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ”
【非特許文献２】３ＧＰＰ  ＴＳ２５．３３１  “Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｒａｄｉｏ  Ｒｅｓｏｕｒｃｅ  Ｃｏｎｔｒｏｌ  （ＲＲＣ）；  Ｐｒｏｔｏｃｏｌ  Ｓｐｅｃｉｆｉｃａｔｉｏｎ”
【非特許文献３】３ＧＰＰ  Ｒ１−０９１６６４  ＣｏＭＰ ＴＰ ｆｏｒ ＴＲ
【発明の概要】
【発明が解決しようとする課題】
【００１１】
ところで、基地局装置は、移動局装置に周辺セルの無線品質を測定させるため、周辺セルのリストを含むＭＥＡＳＵＲＥＭＥＮＴ  ＣＯＮＦＩＧＵＲＡＴＩＯＮメッセージを移動局へ送信する。
しかしながら、ＬＴＥ−Ａでは、周辺セル群には、Ｍｅａｓｕｒｅｍｅｎｔ ｓｅｔとＣｏＭＰ ｒｅｐｏｒｔｉｎｇ ｓｅｔが存在する。この種類の違いによって、移動局装置が測定して基地局装置に送信する情報に差異、具体的には、ＣＱＩ（Ｃｈａｎｎｅｌ Ｑｕａｌｉｔｙ Ｉｎｄｉｃａｔｏｒ）等のＣＳＩの有無、が生じる。したがって、基地局装置及び移動局装置では、複数種類のＭＥＡＳＵＲＥＭＥＮＴ  ＣＯＮＦＩＧＵＲＡＴＩＯＮメッセージが必要となり、各ＭＥＡＳＵＲＥＭＥＮＴ  ＣＯＮＦＩＧＵＲＡＴＩＯＮメッセージの処理に負荷がかかるという欠点があった。
このように従来技術では、複数種類のメッセージを必要とし、各メッセージを処理しなければ、周辺セル各々で異なる無線品質を測定させることができない、という欠点があった。
【００１２】
本発明は上記の点に鑑みてなされたものであり、１種類のメッセージの処理で、周辺セル各々で異なる無線品質を測定させることができるセルラ通信システム、基地局装置、移動局装置、通信制御方法、及び通信制御プログラムを提供する。
【課題を解決するための手段】
【００１３】
（１）本発明は上記の課題を解決するためになされたものであり、本発明は、複数の基地局装置と、前記基地局装置からの信号を受信する移動局装置と、を備えるセルラ通信システムおいて、前記基地局装置は、前記移動局装置が在圏するセルの周辺セルを識別する周辺セル識別情報と、当該周辺セルの分類を示すセル分類情報と、を対応付けた測定セル情報を含む測定構成メッセージを、前記移動局装置に送信し、前記移動局装置は、前記測定構成メッセージに含まれる測定セル情報に基づいて、前記周辺セルの分類毎に異なる信号品質情報であって前記周辺セルの基地局装置から受信した信号の品質を示す信号品質情報を測定し、測定結果の信号品質情報を前記基地局装置に送信することを特徴とするセルラ通信システムである。
上記構成によると、基地局装置が周辺セル識別情報と、当該周辺セルのセル分類情報と、を対応付けた測定セル情報を含む測定構成メッセージを移動局装置に送信し、移動局装置が測定構成メッセージに含まれる測定セル情報に基づいて、周辺セルの分類毎に異なる信号品質情報であって周辺セルの基地局装置から受信した信号の品質を示す信号品質情報を測定するので、１種類のメッセージの処理で、周辺セル各々で異なる無線品質を測定させることができる。
【００１４】
（２）また、本発明は、上記のセルラ通信システムにおいて、前記基地局装置は、前記周辺セルを識別する周辺セル識別情報と、当該周辺セルの分類を示すセル分類識別情報と、を対応付けた測定セル情報を生成するセル分類情報付与部と、前記セル分類情報付与部が生成した測定セル情報を含む測定構成メッセージを、前記移動局装置に送信する無線送信部と、を備え、前記移動局装置は、前記基地局装置から前記測定構成メッセージを取得するメッセージ取得部と、前記メッセージ取得部が取得した測定構成メッセージに含まれる測定セル情報のセル分類識別情報に基づいて、当該測定セル情報の周辺セル識別情報の周辺セルについて測定する信号品質情報を決定する測定品質判定部と、前記測定品質判定部が決定した信号品質情報の測定結果を、前記基地局装置に送信する無線送信部と、を備えることを特徴とする。
【００１５】
（３）また、本発明は、上記のセルラ通信システムにおいて、前記セル分類情報付与部は、周辺セル識別情報に対して、セル分類識別情報としてビットを付与した測定セル情報を生成することを特徴とする。
【００１６】
（４）また、本発明は、上記のセルラ通信システムにおいて、前記基地局装置は、前記周辺セルのセル分類に基づいて、前記周辺セルを識別する周辺セル識別情報を整列する周辺セル識別情報整列部と、前記周辺セル識別情報整列部が整列したセル分類識別情報を含む測定構成メッセージを、前記移動局装置に送信する無線送信部と、を備え、前記移動局装置は、前記基地局装置から前記測定構成メッセージを取得するメッセージ取得部と、前記メッセージ取得部が取得した測定構成メッセージに含まれるセル分類識別情報の整列順序に基づいて、前記周辺セル識別情報の周辺セルについて測定する信号品質情報を決定する測定品質判定部と、前記測定品質判定部が決定した信号品質情報の測定結果を、前記基地局装置に送信する無線送信部と、を備えることを特徴とする。
【００１７】
（５）また、本発明は、上記のセルラ通信システムにおいて、前記周辺セルの基地局装置から受信した信号の伝搬損失を測定する伝搬損失測定部と、前記周辺セルの分類が同じ周辺セルの基地局装置から受信した信号の品質を示す信号品質情報に対して、前記伝搬損失測定部が測定した伝搬損失に応じて異なる信号品質情報を測定することを特徴とする。
【００１８】
（６）また、本発明は、上記のセルラ通信システムにおいて、前記セル分類情報は、協調通信を行うか否かの分類を示すことを特徴とする。
【００１９】
（７）また、本発明は、上記のセルラ通信システムにおいて、前記移動局装置は、前記セル分類情報が協調通信を行わないことを示すときには受信レベルを信号品質情報に決定し、前記セル分類情報が協調通信を行うことを示すときには受信レベル及び伝搬路推定値を信号品質情報に決定することを特徴とする。
【００２０】
（８）また、本発明は、上記のセルラ通信システムにおいて、前記移動局装置は、前記セル分類情報が協調通信を行わないことを示すときには受信レベルを信号品質情報に決定し、前記セル分類情報が協調通信を行うことを示すときには、前記伝搬損失測定部が測定した伝搬損失が予め定めた閾値より小さい場合に受信レベル及び伝搬路推定値を信号品質情報に決定し、前記伝搬損失測定部が測定した伝搬損失が予め定めた閾値より大きい場合に受信レベルを信号品質情報に決定することを特徴とする。
【００２１】
（９）また、本発明は、移動局装置が在圏するセルの周辺セルについての信号品質情報を測定させる測定構成メッセージを前記移動局装置に送信する基地局装置において、前記移動局装置が在圏するセルの周辺セルを識別する周辺セル識別情報と、当該周辺セルの分類を示すセル分類情報と、を対応付けた測定セル情報を含む測定構成メッセージを、前記移動局装置に送信することを特徴とする基地局装置である。
【００２２】
（１０）また、本発明は、在圏するセルの周辺セルについての信号品質情報を測定させる測定構成メッセージを基地局装置から受信する移動局装置において、前記測定構成メッセージに含まれる測定セル情報であって、在圏するセルの周辺セルを識別する周辺セル識別情報と、当該周辺セルの分類を示すセル分類情報と、を対応付けた測定セル情報、に基づいて、前記周辺セルの分類毎に異なる信号品質情報であって前記周辺セルの基地局装置から受信した信号の品質を示す信号品質情報を測定し、測定結果の信号品質情報を前記基地局装置に送信することを特徴とする移動局装置である。
【００２３】
（１１）また、本発明は、移動局装置が在圏するセルの周辺セルについての信号品質情報を測定させる測定構成メッセージを前記移動局装置に送信する基地局装置における通信制御方法において、前記基地局装置が、前記移動局装置が在圏するセルの周辺セルを識別する周辺セル識別情報と、当該周辺セルの分類を示すセル分類情報と、を対応付けた測定セル情報を含む測定構成メッセージを、前記移動局装置に送信する過程を有することを特徴とする通信制御方法である。
【００２４】
（１２）また、本発明は、在圏するセルの周辺セルについての信号品質情報を測定させる測定構成メッセージを基地局装置から受信する移動局装置における通信制御方法において、前記移動局装置が、前記測定構成メッセージに含まれる測定セル情報であって、在圏するセルの周辺セルを識別する周辺セル識別情報と、当該周辺セルの分類を示すセル分類情報と、を対応付けた測定セル情報、に基づいて、前記周辺セルの分類毎に異なる信号品質情報であって前記周辺セルの基地局装置から受信した信号の品質を示す信号品質情報を測定し、測定結果の信号品質情報を前記基地局装置に送信する過程を有することを特徴とする通信制御方法である。
【００２５】
（１３）また、本発明は、移動局装置が在圏するセルの周辺セルについての信号品質情報を測定させる測定構成メッセージを前記移動局装置に送信する基地局装置のコンピュータを、前記移動局装置が在圏するセルの周辺セルを識別する周辺セル識別情報と、当該周辺セルの分類を示すセル分類情報と、を対応付けた測定セル情報を含む測定構成メッセージを、前記移動局装置に送信する手段として機能させる通信制御プログラムである。
【００２６】
（１４）また、本発明は、在圏するセルの周辺セルについての信号品質情報を測定させる測定構成メッセージを基地局装置から受信する移動局装置のコンピュータを、前記測定構成メッセージに含まれる測定セル情報であって、在圏するセルの周辺セルを識別する周辺セル識別情報と、当該周辺セルの分類を示すセル分類情報と、を対応付けた測定セル情報、に基づいて、前記周辺セルの分類毎に異なる信号品質情報であって前記周辺セルの基地局装置から受信した信号の品質を示す信号品質情報を測定し、測定結果の信号品質情報を前記基地局装置に送信する手段として機能させる通信制御プログラムである。
【発明の効果】
【００２７】
本発明によれば、１種類のメッセージの処理で、周辺セル各々で異なる無線品質を測定させることができる。
【図面の簡単な説明】
【００２８】
【図１】本発明の第１の実施形態に係る通信システムを示す概略図である。
【図２】本実施形態に係る周辺セルの分類を示す概略図である。
【図３】本実施形態に係る基地局装置の構成を示す概略ブロック図である。
【図４】本実施形態に係る測定セルリストの一例を示す概略図である。
【図５】本実施形態に係る移動局装置の構成を示す概略ブロック図である。
【図６】本実施形態に係る基地局装置の動作を示す処理フロー図である。
【図７】本実施形態に係る移動局装置の動作を示す処理フロー図である。。
【図８】本発明の第２の実施形態に係る基地局装置の構成を示す概略ブロック図である。
【図９】本実施形態に係る測定セルリストの一例を示す概略図である。
【図１０】本実施形態に係る移動局装置の構成を示す概略ブロック図である。
【図１１】本実施形態に係る基地局装置の動作を示す処理フロー図である。
【図１２】本実施形態に係る移動局装置の動作を示す処理フロー図である。
【図１３】本発明の第３の実施形態に係る移動局装置の構成を示す概略ブロック図である。
【図１４】本実施形態に係る移動局装置の動作を示す処理フロー図である。
【図１５】本実施形態に係るＣｏＭＰ用品質測定処理の動作を示す処理フロー図である。
【図１６】従来技術に係る周辺セルの分類を示す概略図である。
【発明を実施するための形態】
【００２９】
（第１の実施形態）
以下、図面を参照しながら本発明の実施形態について詳しく説明する。
＜通信システム１について＞
図１は、本発明の第１の実施形態に係る通信システムを示す概略図である。この図において、セルＣｎ（ｎ＝１、２、・・・、Ｎ；図１ではＮ＝３）は、それぞれ、基地局装置Ａｎ（ｎ＝１、２、・・・、Ｎ；図１ではＮ＝３）の通信範囲を示す。
また、この図において、移動局装置Ｂは、セルＣ１に在圏している。この場合、セルＣ２、Ｃ３等、移動局装置Ｂが在圏するセルＣ１に近接するセルを周辺セルという。
図１において、移動局装置ＢがセルＣ１の境界付近（セルエッジ）に在圏している場合、基地局装置Ａ１は、他の基地局装置（例えば、基地局装置Ａ２、Ａ３）と協調して移動局装置ＢとＣｏＭＰ（Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ；多地点協調送受信）を行う。
ここで、周辺セルＣ２、Ｃ３は、複数の種類（周辺セル分類という）に分類される。具体的には、周辺セルのうち、ハンドオーバやセルリセレクションを実施するために必要な受信レベルの測定を行う周辺セルはＭｅａｓｕｒｅｍｅｎｔ ｓｅｔに分類され、ＣｏＭＰを実施する可能性のある周辺セルはＣｏＭＰ ｒｅｐｏｒｔｉｎｇ ｓｅｔに分類される。
【００３０】
また、図１において、基地局装置Ａ１は自装置のセルＣ１に在圏する移動局装置Ｂに対して、周辺セルの無線品質を測定させるメッセージ（ＭＥＡＳＵＲＥＭＥＮＴ  ＣＯＮＦＩＧＵＲＡＴＩＯＮメッセージという）を送信する。ここで、本実施形態のＭＥＡＳＵＲＥＭＥＮＴ  ＣＯＮＦＩＧＵＲＡＴＩＯＮメッセージには、周辺セルの識別情報（周辺セル識別情報という）、及び、周辺セル分類の識別情報（セル分類識別情報という）が含まれる。
移動局装置Ｂは、ＭＥＡＳＵＲＥＭＥＮＴ  ＣＯＮＦＩＧＵＲＡＴＩＯＮメッセージを受信し、このメッセージに含まれるセル分類識別情報に基づいて、測定する無線品質情報を決定する。移動局装置Ｂは測定した無線品質情報を基地局装置Ａ１に送信し、基地局装置Ａ１は移動局装置Ｂから受信した無線品質情報に基づいてハンドオーバ、ＣｏＭＰの制御を行う。
【００３１】
図２は、本実施形態に係る周辺セルの分類を示す概略図である。この図において、符号Ｃ１〜Ｃ１８を付した６角形各々はセルを示す。この図は、移動局装置ＢがセルＣ１に在圏し、右斜め上がりの斜線でハッチングしたセルＣ１、Ｃ２、Ｃ３（ＣｏＭＰ  ｃｏｏｐｅｒａｔｉｎｇ  ｓｅｔ）の基地局装置Ａ１、Ａ２、Ａ３と移動局装置ＢとがＣｏＭＰを行うことを示す。
図２は、セルＣ４〜Ｃ９、Ｃ１２、Ｃ１３、Ｃ１６〜Ｃ１９が、Ｍｅａｓｕｒｅｍｅｎｔ ｓｅｔに分類されていることを示す。また、この図は、太線の６角形で示したセルＣ２、Ｃ３、Ｃ１０、Ｃ１１、Ｃ１４、Ｃ１５が、ＣｏＭＰ ｒｅｐｏｒｔｉｎｇ ｓｅｔに分類されていることを示す。この図が示すように、Ｍｅａｓｕｒｅｍｅｎｔ ｓｅｔの範囲は、ＣｏＭＰ ｒｅｐｏｒｔｉｎｇ ｓｅｔの範囲よりも広くなっており、ＣｏＭＰ ｒｅｐｏｒｔｉｎｇ ｓｅｔに分類される周辺セル群の範囲は、Ｍｅａｓｕｒｅｍｅｎｔ ｓｅｔに分類された周辺セル群の範囲に含まれる。
以下、本実施形態では、基地局装置Ａｎを基地局装置ａ１とし、移動局装置Ｂを移動局装置ｂ１として説明をする。
【００３２】
＜基地局装置ａ１の構成について＞
図３は、本実施形態に係る基地局装置ａ１の構成を示す概略ブロック図である。この図において、基地局装置ａ１は、データ入力部ａ１０１、制御部ａ１１、無線送信部ａ１０２、アンテナａ１０３、無線受信部ａ１０４、及び、データ出力部ａ１０５を含んで構成される。ここで、制御部ａ１１は、協調通信制御部ａ１１１、周辺セル管理記憶部ａ１１２、識別情報付与部ａ１１３、メッセージ生成部ａ１１４、及び、セル選択部ａ１１５を含んで構成される。
【００３３】
データ入力部ａ１０１及びデータ出力部ａ１０５は、ネットワークを介して他の装置と通信を行う。具体的には、図１の基地局装置Ａ１が主導権を握って（アンカーセルとして）協調送信を行う時には、基地局装置Ａ１のデータ出力部ａ１０５は、他の基地局装置に協調送信を行うことを示す情報（協調通信情報という）を送信する。一方、基地局装置Ａ２またはＡ３が主導権を握って（アンカーセルとして）協調送信を行う時には、基地局装置Ａ１のデータ入力部ａ１０１は、他の基地局装置から協調通信情報を受信する。
例えば、基地局装置Ａ１がアンカーセルとなる場合は、基地局装置Ａ１のデータ出力部ａ１０５は、他の基地局装置に協調通信情報を送信し、他の基地局装置はその協調通信情報を取得して協調送信を実施する。ここで、協調通信情報には、ＣｏＭＰの種類、送信周波数、及び送信タイミング等のＣｏＭＰに必要な情報が含まれる。
制御部ａ１１は、基地局装置ａ１が行う無線通信を制御する。例えば、他の基地局装置と協調して移動局装置ｂ１と協調通信を行う場合、制御部ａ１１は、協調通信情報に基づいて、無線送信部ａ１０２から移動局装置ｂ１に送信する送信信号の送信周波数や送信タイミングを制御する。
また、制御部ａ１１は、ＭＥＡＳＵＲＥＭＥＮＴ  ＣＯＮＦＩＧＵＲＡＴＩＯＮメッセージを生成し、無線送信部ａ１０２に出力する。また、制御部ａ１１は、移動局装置ｂ１が測定した無線品質情報を取得し、取得した無線品質情報に基づいて、移動局装置ｂ１が接続をするセル、又は移動局装置ｂ１との協調通信を行う基地局装置を選択する。ここで、接続をするセルを選択した場合、選択したセルの周辺セル識別情報を含む接続セル更新メッセージを生成し、無線送信部ａ１０２に出力する。協調通信を行う基地局装置を選択した場合、制御部ａ１１は、協調通信情報を生成し、データ出力部に出力する。
なお、制御部ａ１１の詳細については、後述する。
【００３４】
無線送信部ａ１０２は、制御部ａ１１から入力された情報を符号化および変調してＤ／Ａ（デジタルアナログ）変換する。無線送信部ａ１０２は、制御部ａ１１からの制御に従って、Ｄ／Ａ変換した信号をアップコンバートし、アップコンバートした信号をアンテナａ１０３を介して移動局装置ｂ１へ送信する。
無線受信部ａ１０４は、移動局装置ｂ１からアンテナａ１０３を介して受信した信号をダウンコンバートしてＡ／Ｄ（アナログデジタル）変換する。無線受信部ａ１０４は、Ａ／Ｄ変換した信号を復調及び復号し、復号した情報のうち、制御情報を制御部ａ１１に出力し、ユーザ情報をデータ出力部ａ１０５に出力する。
データ出力部ａ１０５は、無線受信部ａ１０４から入力されたユーザ情報、及び制御部ａ１１５から入力された協調通信情報を、ネットワークを介して他の基地局装置に送信する。
【００３５】
＜制御部ａ１１の構成について＞
協調通信制御部ａ１１は、データ入力部から入力された協調通信情報に基づいて、無線送信部ａ１０２から移動局装置ｂ１に送信する送信信号の送信周波数や送信タイミングを制御する。
周辺セル管理記憶部ａ１１２は、自装置のセルの周辺セルの識別情報（周辺セル識別情報）、及び、そのセルのセル分類情報（Ｍｅａｓｕｒｅｍｅｎｔ ｓｅｔ又はＣｏＭＰ ｒｅｐｏｒｔｉｎｇ ｓｅｔ）が対応付けられた周辺セル情報のリストを予め記憶する。なお、周辺セル管理記憶部ａ１１２が記憶する周辺セル情報のリストは、管理者の操作、又は、データ入力部ａ１０１を介して入力されたセル分類情報の変更命令によって変更されてもよい。
【００３６】
セル分類識別情報付与部ａ１１３は、セル選択部a１１５で判定した判定結果と、周辺セル管理記憶部ａ１１２が記憶する周辺セル情報のセル分類情報と、に基づいて、その周辺セル情報の周辺セル識別情報にセル分類識別情報（１ビット）を付与する。具体的には、セル分類識別情報付与部ａ１１３は、セル選択部ａ１１５から入力された判定結果がＣｏＭＰを実施するセルに対して、ＣｏＭＰ ｒｅｐｏｒｔｉｎｇ ｓｅｔを示すセル分類識別情報（「１」）を付与する。一方、セル分類識別情報付与部ａ１１３は、セル選択部ａ１１５から入力された判定結果がＣｏＭＰを実施しないセルに対して、Ｍｅａｓｕｒｅｍｅｎｔ ｒｅｐｏｒｔｉｎｇ ｓｅｔを示すセル分類識別情報（「０」）を付与する。
セル分類識別情報付与部ａ１１３は、周辺セル識別情報及びセル分類識別情報のリスト（図４参照）を、測定セルリストとして、メッセージ生成部ａ１１４に出力する。なお、周辺セルにＣｏＭＰ ｒｅｐｏｒｔｉｎｇ ｓｅｔが含まれない場合には、セル分類識別情報付与部ａ１１３は、セル分類識別情報を含まず、周辺セル識別情報だけの測定セルリストを生成する。
【００３７】
メッセージ生成部ａ１１４は、セル分類識別情報付与部ａ１１３から入力された測定セルリストを含むＭＥＡＳＵＲＥＭＥＮＴ  ＣＯＮＦＩＧＵＲＡＴＩＯＮメッセージを生成する。ここで、このＭＥＡＳＵＲＥＭＥＮＴ  ＣＯＮＦＩＧＵＲＡＴＩＯＮメッセージは１種類である。メッセージ生成部ａ１１４は、生成したＭＥＡＳＵＲＥＭＥＮＴ  ＣＯＮＦＩＧＵＲＡＴＩＯＮメッセージを、移動局装置ｂ１宛ての情報として無線送信部ａ１０２に出力する。
【００３８】
また、メッセージ生成部ａ１１４は、後述するセル選択部ａ１１５が選択した周辺セル識別情報が入力された場合、この周辺セル識別情報を含む接続セル更新メッセージを生成する。この接続セル更新メッセージは、移動局装置ｂ１に対して周辺セル識別情報が示す周辺セルにハンドオーバを行わせるメッセージである。メッセージ生成部ａ１１４は、生成した接続セル更新メッセージを、移動局装置ｂ１宛ての情報として無線装置部ａ１０２に出力する。
【００３９】
セル選択部ａ１１５は、無線受信部ａ１０４から入力された無線品質情報であって、移動局装置ｂ１が測定した周辺セルの無線品質情報に基づいて、移動局装置ｂ１が接続をするセル、つまり、ハンドオーバを行うセルを選択する。セル選択部ａ１１５は、選択したセルの周辺セル識別情報をメッセージ生成部ａ１１４に出力する。
また、セル選択部ａ１１５は、この無線品質情報に基づいて、移動局装置ｂ１との協調通信を行う基地局装置を選択する。つまり、移動局装置ｂ１からの無線品質情報が示す品質が予め定めた閾値（Ｓ１）より小さい場合（無線品質が悪い）にはＣｏＭＰを実施しても効果が得られない可能性があるためＣｏＭＰ実施不可能と判断する。例えば、セル選択部a１１５は、基地局装置Ａ２についての無線品質情報が示す無線品質（Ｓ_Ａ２）が閾値（Ｓ１）より悪く、基地局装置Ａ３についての無線品質情報が示す無線品質（Ｓ_Ａ３）が閾値（Ｓ１）より良い場合、基地局装置Ａ２については判定結果がＳ_Ａ２＜Ｓ１となる。よって、ＣｏＭＰを実施しても効果が得られない可能性があるため、セル選択部ａ１１５は、基地局装置Ａ２をＣｏＭＰ実施不可能と判断する。また、基地局装置Ａ３については判定結果がＳ１＜Ｓ_Ａ３となり、ＣｏＭＰを実施しても効果が得られる可能性があるため、基地局装置Ａ３をＣｏＭＰ実施可能と判断する。図２の例は、セル選択部ａ１１５がセルＣ２、Ｃ３の基地局装置Ａ２、Ａ３を選択したことを示している。セル選択部ａ１１５は、協調通信情報を生成し、生成した協調通信情報を、選択した基地局装置宛の情報としてデータ出力部ａ１０５に出力する。また、セル選択部ａ１１５は、セル分類識別情報付与部a１１３にＣｏＭＰを実施するセル（ＣｏＭＰ実施可能）と実施しない（ＣｏＭＰ実施不可能）セルの判定結果を出力する。
【００４０】
図４は、本実施形態に係る測定セルリストの一例を示す概略図である。図示するように測定セルリストは、周辺セル識別情報、及びセル分類識別情報の各項目を有している。
図４において、例えば、周辺セル識別情報「Ｃ２」のセルは、セル分類識別情報「１」、つまり、ＣｏＭＰ ｒｅｐｏｒｔｉｎｇ ｓｅｔに分類されていることを示す。また、例えば、周辺セル識別情報「Ｃ４」のセルは、セル分類識別情報「０」、つまり、Ｍｅａｓｕｒｅｍｅｎｔ ｓｅｔに分類されていることを示す。
【００４１】
＜移動局装置ｂ１の構成について＞
図５は、本実施形態に係る移動局装置ｂ１の構成を示す概略ブロック図である。この図において、移動局装置ｂ１は、アンテナｂ１０１、無線受信部ｂ１０２、制御部ｂ１１、情報処理部ｂ１０３、及び、無線送信部ｂ１０４を含んで構成される。ここで、制御部ｂ１１は、メッセージ取得部ｂ１１１、測定品質判定部ｂ１１２、受信レベル測定部ｂ１１３、ＣＳＩ（ｃｈａｎｎｅｌ ｓｔａｔｅ／ｓｔａｔｉｓｔｉｃａｌ ｉｎｆｏｒｍａｔｉｏｎ；チャネル状態情報）測定部ｂ１１４、制御情報生成部ｂ１１５、及び、接続セル更新部ｂ１１６を含んで構成される。
【００４２】
無線受信部ｂ１０２は、基地局装置ａ１からアンテナｂ１０１を介して受信した信号をダウンコンバートしてＡ／Ｄ変換する。無線受信部ａ１０４は、Ａ／Ｄ変換した信号を復調及び復号し、復号した情報のうち、ＭＥＡＳＵＲＥＭＥＮＴ  ＣＯＮＦＩＧＵＲＡＴＩＯＮメッセージを含む制御情報を制御部ｂ１１に出力し、ユーザ情報をユーザ情報処理部ｂ１０３に出力する。
【００４３】
制御部ｂ１１は、移動局装置ｂ１が行う無線通信を制御する。制御部ｂ１１は、無線受信部ｂ１０２から入力されたＭＥＡＳＵＲＥＭＥＮＴ  ＣＯＮＦＩＧＵＲＡＴＩＯＮメッセージに基づいて無線品質情報の測定を行う。制御部ｂ１１は、測定した無線品質情報を含む制御情報を、無線送信部ｂ１０４に出力する。また、制御部ｂ１１は、基地局装置ａ１が送信した接続セル更新メッセージが入力された場合、自装置が接続するセルを更新する（ハンドオーバ）制御を行う。
【００４４】
ユーザ情報処理部ｂ１０３は、無線受信部ｂ１０２から入力されたユーザ情報を処理する。また、ユーザの入力操作によって入力された情報に基づいて、基地局装置ａ１宛のユーザ情報を生成し、無線送信部ｂ１０４に出力する。
無線送信部ｂ１０４は、ユーザ情報処理部ｂ１０３及び制御部ｂ１１から入力された情報を符号化および変調してＤ／Ａ変換する。無線送信部ｂ１０４は、制御部ｂ１１からの制御に従って、Ｄ／Ａ変換した信号をアップコンバートし、アップコンバートした信号をアンテナｂ１０１を介して基地局装置ａ１へ送信する。
【００４５】
＜制御部ｂ１１の構成について＞
メッセージ取得部ｂ１１１は、無線受信部ｂ１０２から入力された制御情報から各メッセージを取得する。メッセージ取得部ｂ１１１は、取得したＭＥＡＳＵＲＥＭＥＮＴ  ＣＯＮＦＩＧＵＲＡＴＩＯＮメッセージを測定品質判定部ｂ１１２に出力する。また、メッセージ取得部ｂ１１１は、取得した接続セル更新メッセージを接続セル更新部ｂ１１６に出力する。
【００４６】
測定品質判定部ｂ１１２は、メッセージ取得部ｂ１１１から入力されたＭＥＡＳＵＲＥＭＥＮＴ  ＣＯＮＦＩＧＵＲＡＴＩＯＮメッセージから、測定セルリストを抽出する。測定品質判定部ｂ１１２は、測定セルリストの周辺セル識別情報を受信レベル測定部ｂ１１３に出力する。また、測定品質判定部ｂ１１２は、測定セルリストの周辺セル識別情報のうち、セル分類識別情報が「１」、つまり、ＣｏＭＰ ｒｅｐｏｒｔｉｎｇ ｓｅｔの周辺セル識別情報をＣＳＩ測定部ｂ１１４に出力する。なお、セル分類識別情報が含まれず周辺セル識別情報だけを含む場合は、測定品質判定部ｂ１１２は、ＣＳＩ測定部ｂ１１４に何も出力しない。
【００４７】
受信レベル測定部ｂ１１３は、無線受信部ｂ１０２が受信した各周辺セルＣｎの基地局装置Ａｎからの受信信号の受信レベル等のＲＲＭ（Ｒａｄｉｏ  Ｒｅｓｏｕｒｃｅ  Ｍａｎａｇｅｍｅｎｔ；無線リソース管理）用の無線品質情報を測定する（この測定をＲＲＭ用品質測定という）。ここで、受信信号には周辺セル識別情報が含まれ、受信レベル測定部ｂ１１３は、周辺セル識別情報毎のＲＲＭ用の無線品質情報を制御情報生成部ｂ１１５に出力する。
ＣＳＩ測定部ｂ１１４は、無線受信部ｂ１０２が受信した各周辺セルＣｎの基地局装置Ａｎからの受信信号に含まれるパイロット信号と、予め記憶するパイロット信号に基づいて、チャネル毎の伝搬路推定値を推定する等、ＣＳＩを測定する（この測定をＣＳＩ用品質測定という）。ＣＳＩ測定部ｂ１１４は、推定した伝搬路推定値等のＣＳＩを生成し、生成した周辺セル識別情報毎のＣＳＩを制御情報生成部ｂ１１５に出力する。
【００４８】
制御情報生成部ｂ１１５は、受信レベル測定部ｂ１１３及びＣＳＩ測定部ｂ１１４から入力された周辺セル識別情報毎のＲＲＭ用の無線品質情報及びＣＳＩを含む無線品質情報を生成し、生成した無線品質情報を制御情報として、無線送信部ｂ１０４に出力する。
接続セル更新部ｂ１１６は、メッセージ取得部ｂ１１１から入力された接続セル更新メッセージから、基地局装置ａ１が選択したセルの周辺セル識別情報を抽出する。接続セル更新部ｂ１１６は、自装置が接続するセルを、抽出した周辺セル識別情報のセルに更新する（ハンドオーバ）制御を行う。
【００４９】
＜基地局装置ａ１と移動局装置ｂ１の動作について＞
以下、基地局装置ａ１と移動局装置ｂ１の動作処理を、それぞれ、図６と図７の処理フロー図で示す。
図６は、本実施形態に係る基地局装置ａ１の動作を示す処理フロー図である。
【００５０】
（ステップＳ１０１）基地局装置ａ１は、無線接続した移動局装置ｂ１についてＣｏＭＰを行う可能性があるか否かを判定する。ＣｏＭＰを行う可能性があると判定した場合（Ｙｅｓ）、ステップＳ１０２へ進む。一方、ＣｏＭＰを行う可能性がないと判定した場合（Ｎｏ）、ステップＳ１０５へ進む。
（ステップＳ１０２）基地局装置ａ１は、ＣｏＭＰ ｒｅｐｏｒｔｉｎｇ ｓｅｔに追加する周辺セルがあるか否かを判定する。ＣｏＭＰ ｒｅｐｏｒｔｉｎｇ ｓｅｔに追加する周辺セルがあると判定した場合（Ｙｅｓ）、ステップＳ１０３へ進む。ＣｏＭＰ ｒｅｐｏｒｔｉｎｇ ｓｅｔに追加する周辺セルがないと判定した場合（Ｎｏ）、ステップＳ１０４へ進む。
【００５１】
（ステップＳ１０３）基地局装置ａ１は、ステップＳ１０２でＣｏＭＰ ｒｅｐｏｒｔｉｎｇ ｓｅｔに追加すると判定した周辺セルの周辺セル識別情報に対して、ＣｏＭＰ ｒｅｐｏｒｔｉｎｇ ｓｅｔであることを示すセル分類識別情報「１」を付与する。また、基地局装置ａ１は、それ以外の周辺セルについて、予め記憶する周辺セル情報の周辺セル識別情報に対して、この周辺セル情報のセル分類情報がＭｅａｓｕｒｅｍｅｎｔ ｓｅｔを示す場合にはセル分類識別情報「０」を付与し、周辺セル情報のセル分類情報がＣｏＭＰ ｒｅｐｏｒｔｉｎｇ ｓｅｔを示す場合にはセル分類識別情報「１」を付与する。その後、ステップＳ１０６に進む。
【００５２】
（ステップＳ１０４）基地局装置ａ１は、予め記憶する周辺セル情報の周辺セル識別情報に対して、この周辺セル情報のセル分類情報がＭｅａｓｕｒｅｍｅｎｔ ｓｅｔを示す場合にはセル分類識別情報「０」を付与し、周辺セル情報のセル分類情報がＣｏＭＰ ｒｅｐｏｒｔｉｎｇ ｓｅｔを示す場合にはセル分類識別情報「１」を付与する。その後、ステップＳ１０６に進む。
（ステップＳ１０５）基地局装置ａ１は、予め記憶する周辺セル情報の周辺セル識別情報に対して、Ｍｅａｓｕｒｅｍｅｎｔ ｓｅｔを示すセル分類識別情報「０」を付与する。その後、ステップＳ１０６に進む。
（ステップＳ１０６）基地局装置ａ１は、ステップＳ１０３〜Ｓ１０５でセル分類識別情報を付与した周辺セル識別情報（測定セルリスト）を含むＭＥＡＳＵＲＥＭＥＮＴ  ＣＯＮＦＩＧＵＲＡＴＩＯＮメッセージを、移動局装置ｂ１へ送信する。その後、動作を終了する。
【００５３】
図７は、本実施形態に係る移動局装置ｂ１の動作を示す処理フロー図である。
（ステップＳ２０１）移動局装置ｂ１は、基地局装置ａ１から受信したＭＥＡＳＵＲＥＭＥＮＴ  ＣＯＮＦＩＧＵＲＡＴＩＯＮメッセージから、測定セルリストを抽出する。移動局装置ｂ１は、測定セルリストにセル分類識別情報があるか否かを判定する。分類識別情報があると判定した場合（Ｙｅｓ）、ステップＳ２０２へ進む。一方、分類識別情報がないと判定した場合（Ｎｏ）、ステップＳ２０５へ進む。
【００５４】
（ステップＳ２０２）移動局装置ｂ１は、ステップＳ２０１で「ある」と判定した分類識別情報が「１」であるか否かを判定する。分類識別情報が「１」であると判定した場合（Ｙｅｓ）、ステップＳ２０３へ進む。一方、分類識別情報が「１」でない（本実施形態では、「０」）と判定した場合（Ｎｏ）、ステップＳ２０４へ進む。
（ステップＳ２０３）移動局装置ｂ１は、ステップＳ２０２で判定した分類識別情報が付与された周辺セル識別情報の周辺セルについて、ＣｏＭＰ用品質測定と、ＲＲＭ用品質測定を実施する。その後、ステップＳ２０５へ進む。
（ステップＳ２０４）移動局装置ｂ１は、ステップＳ２０２で判定した分類識別情報が付与された周辺セル識別情報の周辺セルについて、ＲＲＭ用品質測定を実施する。その後、ステップＳ２０５へ進む。
【００５５】
（ステップＳ２０５）移動局装置ｂ１は、測定セルリストのすべての周辺セル識別情報の周辺セルに対して、ステップＳ２０２の判定を行ったか否かを判定する。すべての周辺セル識別情報の周辺セルに対して判定を行ったと判定した場合（Ｙｅｓ）、ステップＳ２０７へ進む。一方、判定を行っていない周辺セル識別情報があると判定した場合（Ｎｏ）、ステップＳ２０２へ戻る。
（ステップＳ２０６）移動局装置ｂ１は、測定セルリストに含まれる全ての周辺セル識別情報の周辺セルに対して、ＲＲＭ用品質測定を実施する。その後、ステップＳ２０６へ進む。
（ステップＳ２０７）移動局装置ｂ１は、ステップＳ２０３、Ｓ２０４、又はＳ２０６での測定結果を無線品質情報として基地局装置ａ１へ送信する。
【００５６】
このように、本実施形態によれば、基地局装置ａ１が周辺セル識別情報と、当該周辺セルのセル分類識別情報と、を対応付けた測定セル情報を含むＭＥＡＳＵＲＥＭＥＮＴ  ＣＯＮＦＩＧＵＲＡＴＩＯＮメッセージを移動局装置に送信し、移動局装置がＭＥＡＳＵＲＥＭＥＮＴ  ＣＯＮＦＩＧＵＲＡＴＩＯＮメッセージに含まれる測定セル情報に基づいて、周辺セルの分類毎に異なる信号品質情報であって周辺セルの基地局装置から受信した信号の品質を示す信号品質情報を測定する。これにより、本実施形態では、通信システムは、１種類のメッセージの処理で、移動局装置に対して周辺セル各々で異なる無線品質を測定させることができる。また、本実施形態では、通信システムは、複数のメッセージを処理するために発生するオーバヘッド、複数のメッセージを通信するための通信容量を削減することができ、装置での処理負荷や記憶容量を軽減することができる。
また、本実施形態によれば、基地局装置ａ１が１ビットのセル分類識別情報を付与するので、セル分類識別情報を２以上のビットとする場合と比較して、複数のメッセージを通信するための通信容量を小さくすることができる。
【００５７】
（第２の実施形態）
以下、図面を参照しながら本発明の第２の実施形態について詳しく説明する。
上記第１の実施形態では、基地局装置ａ１が、セル分類情報に基づいて、周辺セル識別情報にセル分類識別情報を付加した測定セルリストを生成し、生成した測定セルリストを含むＭＥＡＳＵＲＥＭＥＮＴ  ＣＯＮＦＩＧＵＲＡＴＩＯＮメッセージを送信する場合について説明をした。
本実施形態ででは、基地局装置が、セル分類情報に基づいて、周辺セル識別情報の順序を並び換えた測定セルリストを生成し、生成した測定セルリストを含むＭＥＡＳＵＲＥＭＥＮＴ  ＣＯＮＦＩＧＵＲＡＴＩＯＮメッセージを送信する場合について説明をする。
なお、本実施形態に係る通信システムを示す概略図は図１と同じであるので、説明は省略する。以下、本実施形態では、基地局装置Ａｎを基地局装置ａ２とし、移動局装置Ｂを移動局装置ｂ２として説明をする。
【００５８】
＜基地局装置ａ２の構成について＞
図８は、本発明の第２の実施形態に係る基地局装置ａ２の構成を示す概略ブロック図である。本実施形態に係る基地局装置ａ２（図８）と第１の実施形態に係る基地局装置ａ１（図３）とを比較すると、制御部ａ２１が備える周辺セル識別情報整列部ａ２１３が異なる。しかし、他の構成要素（データ入力部ａ１０１、無線送信部ａ１０２、アンテナａ１０３、無線受信部ａ１０４、データ出力部ａ１０５、及び、制御部ａ１１の協調通信制御部ａ１１１、周辺セル管理記憶部ａ１１２、メッセージ生成部ａ１１４、セル選択部ａ１１５）が持つ機能は第１の実施形態と同じである。第１の実施形態と同じ機能の説明は省略する。
【００５９】
周辺セル識別情報整列部ａ２１３は、セル選択部a１１５で判定した判定結果と、周辺セル管理記憶部ａ１１２が記憶する周辺セル情報のリストに基づいて、そのリストの周辺セル識別情報を並び換える。具体的には、周辺セル識別情報整列部ａ２１３は、「ＣｏＭＰ ｒｅｐｏｒｔｉｎｇ ｓｅｔ」に分類する周辺セルの周辺セル識別情報を、上位１〜ｍ番目（ｍは予め定められた自然数）に並び換える。ここで、「ＣｏＭＰ ｒｅｐｏｒｔｉｎｇ ｓｅｔ」に分類する周辺セルの周辺セル識別情報がｍ個に満たない場合は、足りない個数の周辺セル識別情報はｎｕｌｌ（ヌル）とする（図９参照）。また、周辺セル識別情報整列部ａ２１３は、「Ｍｅａｓｕｒｅｍｅｎｔ ｓｅｔ」に分類する周辺セルの周辺セル識別情報を、ｍ＋１以降に並び換える。すなわち、周辺セル識別情報整列部ａ２１３は、周辺セルのセル分類に基づいて、周辺セル識別情報を整列する。
【００６０】
図９は、本実施形態に係る測定セルリストの一例を示す概略図である。図示するように測定セルリストは、周辺セル識別情報の項目を有している。この図は、ｍ＝７の場合の図である。
図９において、例えば、上位１〜７番目に並び換えられた周辺セル識別情報「Ｃ２」、「Ｃ３」、「Ｃ１０」、「Ｃ１１」、「Ｃ１４」、「Ｃ１５」のセルは、ＣｏＭＰ ｒｅｐｏｒｔｉｎｇ ｓｅｔに分類されていることを示す。また、例えば、８番目以降に並び換えられた周辺セル識別情報「Ｃ４」〜「Ｃ９」、「Ｃ１２」、「Ｃ１３」、「Ｃ１６」〜「Ｃ１９」のセルは、Ｍｅａｓｕｒｅｍｅｎｔ ｓｅｔに分類されていることを示す。
【００６１】
＜移動局装置ｂ２の構成について＞
図１０は、本実施形態に係る移動局装置ｂ２の構成を示す概略ブロック図である。本実施形態に係る移動局装置ｂ１（図１０）と第１の実施形態に係る基地局装置ａ１（図５）とを比較すると、制御部ｂ２１が備える測定品質判定部ｂ２１２が異なる。しかし、他の構成要素（無線受信部ｂ１０２、情報処理部ｂ１０３、無線送信部ｂ１０４、及び、制御部ｂ２１のメッセージ取得部ｂ１１１、受信レベル測定部ｂ１１３、ＣＳＩ測定部ｂ１１４、制御情報生成部ｂ１１５、接続セル更新部ｂ１１６が持つ機能は第１の実施形態と同じである。第１の実施形態と同じ機能の説明は省略する。
【００６２】
測定品質判定部ｂ２１２は、メッセージ取得部ｂ１１１から入力されたＭＥＡＳＵＲＥＭＥＮＴ  ＣＯＮＦＩＧＵＲＡＴＩＯＮメッセージから、測定セルリストを抽出する。測定品質判定部ｂ２１２は、測定セルリストの周辺セル識別情報を受信レベル測定部ｂ１１３に出力する。また、測定品質判定部ｂ２１２は、測定セルリストの周辺セル識別情報のうち、上位１〜ｍ番目、つまり、ＣｏＭＰ ｒｅｐｏｒｔｉｎｇ ｓｅｔの周辺セル識別情報をＣＳＩ測定部ｂ１１４に出力する。
【００６３】
＜基地局装置ａ２と移動局装置ｂ２の動作について＞
以下、基地局装置ａ２と移動局装置ｂ２の動作処理を、それぞれ、図１１と図１２の処理フロー図で示す。
図１１は、本実施形態に係る基地局装置ａ２の動作を示す処理フロー図である。本実施形態に係る処理フロー図（図１１）と第１の実施形態に係る処理フロー図（図６）とを比較すると、ステップＳ３０３〜Ｓ３０５の処理が異なる。しかし、他の処理（ステップＳ１０１、Ｓ１０２、及びＳ１０６）が持つ機能は第１の実施形態と同じである。第１の実施形態と同じ機能の説明は省略する。
【００６４】
（ステップＳ３０３）基地局装置ａ２は、ステップＳ１０２でＣｏＭＰ ｒｅｐｏｒｔｉｎｇ ｓｅｔに追加すると判定した周辺セルの周辺セル識別情報と、予め記憶する周辺セル情報のセル分類情報がＣｏＭＰ ｒｅｐｏｒｔｉｎｇ ｓｅｔを示す周辺セル情報の周辺セル識別情報と、を上位１〜ｍ番目に並び換える。また、基地局装置ａ２は、予め記憶する周辺セル情報のセル分類情報がＭｅａｓｕｒｅｍｅｎｔ ｓｅｔを示す周辺セル情報の周辺セル識別情報をｍ＋１以降に並び換える。その後、ステップＳ１０６へ進む。
【００６５】
（ステップＳ３０４）基地局装置ａ２は、予め記憶する周辺セル情報のセル分類情報がＣｏＭＰ ｒｅｐｏｒｔｉｎｇ ｓｅｔを示す周辺セル情報の周辺セル識別情報を上位１〜ｍ番目に並び換える。また、基地局装置ａ２は、予め記憶する周辺セル情報のセル分類情報がＭｅａｓｕｒｅｍｅｎｔ ｓｅｔを示す周辺セル情報の周辺セル識別情報をｍ＋１以降に並び換える。その後、ステップＳ１０６へ進む。
（ステップＳ３０５）基地局装置ａ２は、予め記憶する周辺セル情報の周辺セル識別情報をｍ＋１以降に並び換える。その後、ステップＳ１０６へ進む。
【００６６】
図１２は、本実施形態に係る移動局装置ｂ２の動作を示す処理フロー図である。
（ステップＳ４０１）移動局装置ｂ２は、基地局装置ａ２から受信したＭＥＡＳＵＲＥＭＥＮＴ  ＣＯＮＦＩＧＵＲＡＴＩＯＮメッセージから、測定セルリストを抽出する。移動局装置ｂ２は、測定セルリストの周辺セル識別情報が上位１〜ｍ番目の順番であるか否かを判定する。周辺セル識別情報が上位１〜ｍ番目の順番であると判定した場合、ステップＳ４０２へ進む。
【００６７】
（ステップＳ４０２）移動局装置ｂ２は、ステップＳ４０１で順番を判定した周辺セル識別情報の周辺セルについて、ＣｏＭＰ用品質測定と、ＲＲＭ用品質測定を実施する。その後、ステップＳ４０４へ進む。
（ステップＳ４０３）移動局装置ｂ２は、ステップＳ４０１で順番を判定した周辺セル識別情報の周辺セルについて、ＲＲＭ用品質測定を実施する。その後、ステップＳ４０５へ進む。
【００６８】
（ステップＳ４０４）移動局装置ｂ２は、測定セルリストのすべての周辺セル識別情報の周辺セルに対して、ステップＳ４０１の判定を行ったか否かを判定する。すべての周辺セル識別情報の周辺セルに対して判定を行ったと判定した場合（Ｙｅｓ）、ステップＳ４０５へ進む。一方、判定を行っていない周辺セル識別情報があると判定した場合（Ｎｏ）、ステップＳ４０１へ戻る。
（ステップＳ４０５）移動局装置ｂ２は、ステップＳ４０２、又はＳ４０３での測定結果を無線品質情報として基地局装置ａ２へ送信する。
【００６９】
このように、本実施形態によれば、基地局装置ａ２が周辺セルのセル分類に基づいて、周辺セル識別情報を整列した情報を含むＭＥＡＳＵＲＥＭＥＮＴ  ＣＯＮＦＩＧＵＲＡＴＩＯＮメッセージを移動局装置に送信し、移動局装置がＭＥＡＳＵＲＥＭＥＮＴ  ＣＯＮＦＩＧＵＲＡＴＩＯＮメッセージに含まれるセル分類識別情報の整列順序に基づいて、周辺セルの分類毎に異なる信号品質情報であって周辺セルの基地局装置から受信した信号の品質を示す信号品質情報を測定する。これにより、本実施形態では、通信システムは、１種類のメッセージの処理で、移動局装置に対して周辺セル各々で異なる無線品質を測定させることができる。また、本実施形態では、通信システムは、複数のメッセージを処理するために発生するオーバヘッド、複数のメッセージを通信するための通信容量を削減することができ、装置での処理負荷や記憶容量を軽減することができる。
また、本実施形態によれば、基地局装置ａ１がセル分類識別情報の整列順序を並び替えるので、セル分類識別情報を付与する場合と比較して、通信容量を小さくすることができる。
【００７０】
（第３の実施形態）
以下、図面を参照しながら本発明の第３の実施形態について詳しく説明する。
本実施形態ででは、移動局装置が、測定セルリストの周辺セル識別情報のセルの基地局装置からの受信信号について伝搬損失（パスロス）値を測定し、伝搬損失値に基づいてＣＳＩ用品質測定を行うか否かを判定する場合について説明をする。
なお、本実施形態に係る通信システムを示す概略図は図１と同じであるので、説明は省略する。以下、本実施形態では、移動局装置Ｂを移動局装置ｂ３として説明をする。なお、基地局装置Ａｎは、第１の実施形態に係る基地局装置ａ１と同じであるので、説明は省略する。
【００７１】
＜移動局装置ｂ３の構成について＞
図１３は、本発明の第３の実施形態に係る移動局装置ｂ３の構成を示す概略ブロック図である。本実施形態に係る移動局装置ｂ３（図１３）と第１の実施形態に係る基地局装置ａ１（図５）とを比較すると、制御部ｂ３１が備える測定品質判定部ｂ３１２、及び、伝搬損失測定部ｂ３１７が異なる。しかし、他の構成要素（無線受信部ｂ１０２、情報処理部ｂ１０３、無線送信部ｂ１０４、及び、制御部ｂ２１のメッセージ取得部ｂ１１１、受信レベル測定部ｂ１１３、ＣＳＩ測定部ｂ１１４、制御情報生成部ｂ１１５、接続セル更新部ｂ１１６が持つ機能は第１の実施形態と同じである。第１の実施形態と同じ機能の説明は省略する。
【００７２】
伝搬損失測定部ｂ３１７は、メッセージ取得部ｂ１１１が取得したＭＥＡＳＵＲＥＭＥＮＴ  ＣＯＮＦＩＧＵＲＡＴＩＯＮメッセージから、測定セルリストを抽出する。伝搬損失測定部ｂ３１７は、測定セルリストの周辺セル識別情報の周辺セルからの受信信号について伝搬損失値を測定する。伝搬損失測定部ｂ３１７は、測定した伝搬損失値を測定品質判定部ｂ３１２に出力する。
【００７３】
測定品質判定部ｂ３１２は、メッセージ取得部ｂ１１１から入力されたＭＥＡＳＵＲＥＭＥＮＴ  ＣＯＮＦＩＧＵＲＡＴＩＯＮメッセージから、測定セルリストを抽出する。測定品質判定部ｂ１１２は、測定セルリストの周辺セル識別情報を受信レベル測定部ｂ１１３に出力する。また、測定品質判定部ｂ１１２は、測定セルリストの周辺セル識別情報のうちセル分類識別情報が「１」の周辺セル識別情報について、伝搬損失測定部ｂ３１７から入力された伝搬損失値が予め記憶する閾値より小さいか否かを判定する。伝搬損失値が予め記憶する閾値より小さいと判定した場合、測定品質判定部ｂ１１２は、その周辺セルについての周辺セル識別情報をＣＳＩ測定部ｂ１１４に出力する。
なお、基地局装置ａ１は、無線品質情報にＣＳＩが含まれている周辺セルの基地局装置から、移動局装置ｂ３との協調通信を行う基地局装置を選択する。
【００７４】
＜移動局装置ｂ３の動作について＞
図１４は、本実施形態に係る移動局装置ｂ３の動作を示す処理フロー図である。本実施形態に係る処理フロー図（図１４）と第１の実施形態に係る処理フロー図（図７）とを比較すると、ステップＳ６の処理（ＣｏＭＰ用品質測定処理）が異なる。しかし、他の処理（ステップＳ２０１、Ｓ２０２〜Ｓ２０７）が持つ機能は第１の実施形態と同じである。第１の実施形態と同じ機能の説明は省略する。
【００７５】
図１５は、本実施形態に係るＣｏＭＰ用品質測定処理（図１４でのステップＳ６の処理）の動作を示す処理フロー図である。
（ステップＳ６０１）移動局装置ｂ３は、基地局装置ａ１から受信したＭＥＡＳＵＲＥＭＥＮＴ  ＣＯＮＦＩＧＵＲＡＴＩＯＮメッセージから、測定セルリストを抽出する。移動局装置ｂ３は、図１４のステップＳ２０２で判定したセル分類識別情報が付与されている周辺セル識別情報の周辺セルからの受信信号について伝搬損失値を測定する。その後、ステップＳ６０２へ進む。
【００７６】
（ステップＳ６０２）移動局装置ｂ３は、ステップＳ６０１で測定した伝搬損失値が、予め記憶する閾値より小さいか否かを判定する。伝搬損失値が閾値より小さいと判定した場合（Ｙｅｓ）、ステップＳ６０３へ進む。一方、伝搬損失値が閾値以上であると判定した場合（Ｎｏ）、ステップＳ６０４へ進む。
（ステップＳ６０３）移動局装置ｂ３は、ステップＳ６０２で測定結果を判定した周辺セル識別情報の周辺セルについて、ＣｏＭＰ用品質測定と、ＲＲＭ用品質測定を実施する。その後、動作を終了する。
（ステップＳ６０４）移動局装置ｂ３は、ステップＳ６０２で測定結果を判定した周辺セル識別情報の周辺セルについて、ＲＲＭ用品質測定を実施する。その後、動作を終了する。
【００７７】
このように、本実施形態によれば、移動局装置ｂ３は、セル分類識別情報が「１」であるときには、伝搬損失値が予め定めた閾値より小さい場合に受信レベル及びＣＳＩを、伝搬損失値が予め定めた閾値以上である場合に受信レベルを信号品質情報を、基地局装置に送信する。これにより、本実施形態では、通信システムでは、基地局装置が、伝搬損失値が予め定めた閾値より小さい基地局装置からＣｏＭＰを行う基地局装置を選択することができ、伝搬損失が低いＣｏＭＰを行うことができる。
【００７８】
なお、上記実施形態において、基地局装置ａ１、ａ２は、測定セルリストを含むＭＥＡＳＵＲＥＭＥＮＴ  ＣＯＮＦＩＧＵＲＡＴＩＯＮメッセージを送信しているが、本発明はこれに限らず、測定セルリストをユニキャストしてもよいし、マルチキャストしてもよし、ブロードキャストしてもよい。
また、上記実施形態において、セル選択部a１１５が、無線接続した移動局装置ｂ１、ｂ２についてＣｏＭＰを行う可能性があるか否か、及び、ＣｏＭＰ ｒｅｐｏｒｔｉｎｇ ｓｅｔに追加する周辺セルがあるか否か、を判定する場合について説明をした。しかし、本発明はこれに限らず、これらの判定を行わなくてもよい。この場合、セル分類識別情報付与部ａ１１３、ａ２１３は周辺セル管理記憶部ａ１１２が記憶する周辺セル情報のセル分類情報が示すセル分類を、この周辺セル情報の周辺セル識別情報の周辺セルのセル分類とする。例えば、セル分類識別情報付与部ａ１１３は、周辺セル情報のセル分類情報がＣｏＭＰ ｒｅｐｏｒｔｉｎｇ ｓｅｔを示す場合、この周辺セル情報の周辺セル識別情報にセル分類識別情報として「１」を付与する。一方、セル分類識別情報付与部ａ１１３は、周辺セル情報のセル分類情報がＭｅａｓｕｒｅｍｅｎｔ ｓｅｔを示す場合、この周辺セル情報の周辺セル識別情報にセル分類識別情報として「０」を付与する。
【００７９】
また、上記第１及び第３の実施形態において、基地局装置ａ１は、周辺セル識別情報に１ビットのセル分類識別情報を付与したが、本発明はこれに限らず、周辺セルの分類を示す識別情報であればどのような情報であってもよい。
【００８０】
また、上記第２の実施形態において、基地局装置ａ２は、自然数ｍを移動局装置毎、時刻毎等で可変にしてもよい。この場合、基地局装置ａ２は、基地局装置ａ２は、ＭＥＡＳＵＲＥＭＥＮＴ  ＣＯＮＦＩＧＵＲＡＴＩＯＮメッセージを送信する前、又は送信するとき、自然数ｍの情報を移動局装置へ送信する。なお、この基地局装置ａ２は、この自然数ｍを含むＭＥＡＳＵＲＥＭＥＮＴ  ＣＯＮＦＩＧＵＲＡＴＩＯＮメッセージを送信してもよい。
【００８１】
また、上記第２の実施形態において、基地局装置ａ２は、「ＣｏＭＰ ｒｅｐｏｒｔｉｎｇ ｓｅｔ」に分類する周辺セルの周辺セル識別情報を上位１〜ｍ番目に並び替える場合について説明をした。しかし、本発明はこれに限らず、基地局装置ａ２は、予め定めた順番に配置すればよい。例えば、基地局装置ａ２は、下位に並び替えてもよいし、上位５〜１２番目のように連続する順番に配置してもよいし、上位２、５、６、９、１５番目のように非連続な順番に配置してもよい。この場合、基地局装置ａ２は、「ＣｏＭＰ ｒｅｐｏｒｔｉｎｇ ｓｅｔ」に分類する周辺セルの周辺セル識別情報を配置する順番を、予め移動局装置ｂ１に通知する。
また、基地局装置ａ２と移動局装置ｂ１が周辺セル識別情報を配置する順番のパターンを予め記憶しておき、基地局装置ａ２がパターンの識別情報を移動局装置ｂ１に通知してもよい。
【００８２】
なお、上述した実施形態における基地局装置ａ１、ａ２、移動局装置ｂ１〜ｂ３の一部、例えば、協調通信制御部ａ１１１、識別情報付与部ａ１１３、周辺セル識別情報整列部ａ２１３、メッセージ生成部ａ１１４、セル選択部ａ１１５、メッセージ取得部ｂ１１１、測定品質判定部ｂ１１２、ａ２１２、ｂ３１２、受信レベル測定部ｂ１１３、ＣＳＩ測定部ｂ１１４、制御情報生成部ｂ１１５、接続セル更新部ｂ１１６、及び伝搬損失測定部ｂ３１７をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、基地局装置ａ１、ａ２、又は移動局装置ｂ１〜ｂ３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８４】
Ａ１〜Ａ３、ａ１、ａ２・・・基地局装置、Ｂ、ｂ１〜ｂ３・・・移動局装置、ａ１０１・・・データ入力部、ａ１１、ａ２１・・・制御部、ａ１０２・・・無線送信部、ａ１０３・・・アンテナ、ａ１０４・・・無線受信部、ａ１０５・・・データ出力部、ａ１１１・・・協調通信制御部、ａ１１２・・・周辺セル管理記憶部、ａ１１３・・・識別情報付与部、ａ２１３・・・周辺セル識別情報整列部、ａ１１４・・・メッセージ生成部、ａ１１５・・・セル選択部、ｂ１０１・・・アンテナ、ｂ１０２・・・無線受信部、ｂ１１、ｂ２１、ｂ３１・・・制御部、ｂ１０３・・・情報処理部、ｂ１０４・・・無線送信部、ｂ１１１・・・メッセージ取得部、ｂ１１２、ａ２１２、ｂ３１２・・・測定品質判定部、ｂ１１３・・・受信レベル測定部、ｂ１１４・・・ＣＳＩ測定部、ｂ１１５・・・制御情報生成部、ｂ１１６・・・接続セル更新部、ｂ３１７・・・伝搬損失測定部
【図１】
2011188126.tif 000003
【図２】
2011188126.tif 000004
【図３】
2011188126.tif 000005
【図４】
2011188126.tif 000006
【図５】
2011188126.tif 000007
【図６】
2011188126.tif 000008
【図７】
2011188126.tif 000009
【図８】
2011188126.tif 000010
【図９】
2011188126.tif 000011
【図１０】
2011188126.tif 000012
【図１１】
2011188126.tif 000013
【図１２】
2011188126.tif 000014
【図１３】
2011188126.tif 000015
【図１４】
2011188126.tif 000016
【図１５】
2011188126.tif 000017
【図１６】
2011188126.tif 000018